(57)【要約】【課題】集中豪雨等の場合に雨水を外部に排出でき、しかも、落ち葉などのごみが入りにくいとい継手およびこのとい継手を含む排水構造を提供する。【解決手段】とい継手１は、筒状の継手本体２と、継手本体２に上下動可能に収納された移動体３とを備える。継手本体２の周壁部に開口部２７が形成される。継手本体２に、移動体３を載置可能な載置面が形成される。継手本体２の内側領域は、載置面に載置された移動体３の下方に位置し、かつ上流側とい部材９２から下流側とい部材９３に向かう雨水が通過する通水領域１０を含む。移動体３は、通水領域１０に臨む受圧面３６を備える。とい継手１は、移動体３が載置位置に位置するとき、移動体３によって通水領域１０と開口部２７とが非連通状態となる。とい継手１は、移動体３が載置位置よりも上方に位置するとき、通水領域１０と開口部２７とが連通状態となる。【選択図】図２
2017008675.tif 000002
【特許請求の範囲】
【請求項１】
上下に開口した筒状で、上端部に上流側とい部材に接続可能な上接続部が形成され、かつ下端部に下流側とい部材に接続可能な下接続部が形成された継手本体と、
前記継手本体に上下動可能に収納された移動体とを備え、
筒状の前記継手本体の周壁部に当該継手本体の内外を連通させる開口部が形成され、
前記継手本体に、前記移動体を載置可能な載置面が形成され、
前記継手本体の内側領域は、前記載置面に載置された前記移動体の下方に位置し、かつ前記上接続部に接続された前記上流側とい部材から前記下接続部に接続された前記下流側とい部材に向かう雨水が通過する通水領域を含み、
前記移動体は、前記通水領域に臨む受圧面を備え、
前記移動体が前記載置位置に位置するときに、当該移動体によって前記通水領域と前記開口部とが非連通状態となり、前記移動体が前記載置位置よりも上方に位置するときに、前記通水領域と前記開口部とが連通状態となるように構成されたことを特徴とするとい継手。
【請求項２】
前記移動体は、
上下に開口した筒状のスライド筒部を備え、
前記上接続部に接続された前記上流側とい部材の雨水が、前記スライド筒部の内側、および前記通水領域を順に通過して、前記下接続部に接続された前記下流側とい部材に流出するように構成され、
前記移動体は、前記スライド筒部の外周面が筒状の前記継手本体の内周面に沿って上下方向にスライドするように前記継手本体に収納されたことを特徴とする請求項１に記載のとい継手。
【請求項３】
前記継手本体は、
上下に開口した筒状で、内周面が前記スライド筒部の外周面に沿う第１筒部と、
平面視環状で外周端部が前記第１筒部の下端部に繋がった繋ぎ部と、
上下に開口し前記第１筒部よりも細い筒状で上端部が前記繋ぎ部の内周端部に繋がった第２筒部とを備え、
前記載置面は前記繋ぎ部の上面であり、
前記第２筒部の内側領域は、前記通水領域を含み、
前記移動体は、
上下に開口した筒状で、上端部が前記スライド筒部の下端部に接続され、かつ前記スライド筒部よりも細い細筒部と、
前記載置面に載置される部分として、前記細筒部の周方向に亘り前記細筒部から外方に突出した鍔部とをさらに備え、
前記開口部は、前記移動体が前記載置位置に位置するときに、前記第１筒部において前記細筒部に対向する部分に形成され、
前記移動体が前記載置位置よりも上方に位置するときに、前記繋ぎ部の上面と前記鍔部の間に隙間が形成され、この隙間を介して前記通水領域と前記開口部とが連通状態となるように構成されたことを特徴とする請求項２に記載のとい継手。
【請求項４】
前記継手本体の前記開口部の外側を覆うカバーをさらに備え、
前記カバーと前記継手本体との間に、前記カバーと前記継手本体によって周囲および上方が閉塞され、かつ前記通水領域から前記開口部を通してあふれ出た雨水を下端部から排出するための排水空間が形成され、
前記移動体は、前記継手本体の内側から前記開口部を通して前記排水空間に突出した仕切部を備え、
前記移動体が前記載置位置に位置するときに、前記仕切部が前記開口部の下端部に位置して、この仕切部により前記排水空間が上下に仕切られるように構成されたことを特徴とする請求項１〜３のいずれか１項に記載のとい継手。
【請求項５】
前記カバーと前記継手本体との間の下端部に設けられた管接続体をさらに備え、
前記管接続体は、
前記排水空間に通じ、前記排水空間の雨水を排水するための管を接続可能な管接続部を備えたことを特徴とする請求項４に記載のとい継手。
【請求項６】
上流側とい部材と、
下流側とい部材と、
請求項１〜５のいずれか１項に記載のとい継手とを備えた排水構造であって、
前記とい継手が有する前記継手本体の前記上接続部に、前記上流側とい部材が接続され、前記継手本体の前記下接続部に、前記下流側とい部材が接続されたことを特徴とする排水構造。
【発明の詳細な説明】
【技術分野】
【０００１】
本発明は、とい継手および排水構造に関する。
【背景技術】
【０００２】
特許文献１には、上流側のといと下流側のといを連結するための合わせ升が開示されている。この合わせ升は、鉛直方向に延びた鉛直管と、鉛直管の側面から突出した枝管とで構成されている。上流側のといは、鉛直管の上端部に接続され、下流側のといは、鉛直管の下端部に接続される。この合わせ升は、集中豪雨の際に多量の雨水が流れて排水しきれなくなった場合に、合わせ升内部の雨水が枝管から外部にあふれ出るように構成されている。このため、上流側のといにつながったバルコニーには、雨水が逆流しにくくなっている。
【先行技術文献】
【特許文献】
【０００３】
【特許文献１】特開２０１１−８９３２１号公報
【発明の概要】
【発明が解決しようとする課題】
【０００４】
ところで、前記合わせ升は、落ち葉などのごみが枝管から継手に入り込み、これにより、合わせ升や、合わせ升よりも下流側において詰まり等が生じる可能性がある。
【０００５】
本発明は前記事情に鑑みてなされたものであって、集中豪雨等の場合に雨水を外部に排出でき、しかも、落ち葉などのごみが入りにくいとい継手およびこのとい継手を含む排水構造を提供する。
【課題を解決するための手段】
【０００６】
前記目的を達成するために本発明のとい継手は、上下に開口した筒状で、上端部に上流側とい部材に接続可能な上接続部が形成され、かつ下端部に下流側とい部材に接続可能な下接続部が形成された継手本体と、前記継手本体に上下動可能に収納された移動体とを備え、筒状の前記継手本体の周壁部に当該継手本体の内外を連通させる開口部が形成され、前記継手本体に、前記移動体を載置可能な載置面が形成され、前記継手本体の内側領域は、前記載置面に載置された前記移動体の下方に位置し、かつ前記上接続部に接続された前記上流側とい部材から前記下接続部に接続された前記下流側とい部材に向かう雨水が通過する通水領域を含み、前記移動体は、前記通水領域に臨む受圧面を備え、前記移動体が前記載置位置に位置するときに、当該移動体によって前記通水領域と前記開口部とが非連通状態となり、前記移動体が前記載置位置よりも上方に位置するときに、前記通水領域と前記開口部とが連通状態となるように構成されたことを特徴とする。
【０００７】
また、本発明の排水構造は、上流側とい部材と、下流側とい部材と、前述のとい継手とを備えた排水構造であって、前記とい継手が有する前記継手本体の前記上接続部に、前記上流側とい部材が接続され、前記継手本体の前記下接続部に、前記下流側とい部材が接続されたことを特徴とする。
【発明の効果】
【０００８】
本発明に係るとい継手および排水構造では、集中豪雨等の場合に雨水がとい継手から外部に排出され、また、とい継手には落ち葉などのごみが入りにくい。
【図面の簡単な説明】
【０００９】
【図１】図１は、本発明の実施形態の一例のとい継手を含む排水構造の説明図である。
【図２】図２Ａおよび図２Ｂは図１のＡ部拡大断面図であり、図２Ａは前記とい継手の移動体が載置位置に位置した状態を示し、図２Ｂは前記移動体が上昇位置に位置した状態を示している。
【図３】図３は、前記とい継手の分解斜視図である。
【図４】図４は、本発明の実施形態の他例のとい継手を含む排水構造の要部拡大断面図である。
【図５】図５は、本発明の実施形態のさらに他例のとい継手を含む排水構造の要部拡大断面図である。
【発明を実施するための形態】
【００１０】
以下、添付図面に基づき、本発明の実施形態について説明する。
【００１１】
図１は、本実施形態のとい継手１を含む排水構造の説明図である。この排水構造は、建物７のバルコニー７０に降った雨水を、地面に設けられた側溝８０に排出するように構成されている。
【００１２】
本実施形態の排水構造は、排水経路を構成する部材として、ドレイン管９０、排水升９１、縦とい９２、とい継手１、縦とい９３、および雨水升９４を備えている。
【００１３】
ドレイン管９０は、バルコニー７０に設けられている。ドレイン管９０には、排水升９１、縦とい９２、とい継手１、および縦とい９３が順に接続されている。すなわち、本実施形態において、とい継手１の上流側に接続されるとい部材、およびとい継手１の下流側に接続されるとい部材は、縦とい９２、９３である。以下、縦とい９２を「上流側とい部材９２」と記載し、縦とい９３を「下流側とい部材９３」と記載する。
【００１４】
排水升９１、上流側とい部材９２、とい継手１、および下流側とい部材９３は、建物７の外壁７１に沿って、この順序で上方から順に設けられている。上流側とい部材９２および下流側とい部材９３は、取付具などを用いて外壁７１に固定される。
【００１５】
バルコニー７０に降った雨水は、ドレイン管９０、排水升９１、上流側とい部材９２、とい継手１、および下流側とい部材９３を順に介して、雨水升９４に流れ込み、雨水升９４から側溝８０に排出される。
【００１６】
図２Ａは、図１のＡ部の縦断面図である。なお、以下では、上下方向と直交した一方向であって、図２Ａ中矢印Ｄ１で示した方向を前方、矢印Ｄ２で示した方向を後方として、とい継手１や縦とい９２，９３について説明する。
【００１７】
なお、とい継手１は、図１に示すように前面を外壁７１とは反対側に向けた状態で設置されてもよいし、前面を外壁７１側に向けた状態で設置されてもよい。また、とい継手１は、上方から見て、前面を外壁７１の厚み方向と直交した方向に向けた状態で設置されてもよい。
【００１８】
図２Ａに示されるように、本実施形態のとい継手１は、継手本体２、移動体３、およびカバー４を備えている。
【００１９】
継手本体２は、上下方向に延び、上下に開口した筒状に形成されている。本実施形態の継手本体２は、上下に開口した筒状の筒状体２０と、筒状体２０の上端部に設けられた上板２１とを備えている。筒状体２０は、継手本体２の周壁部を構成し、上板２１は、継手本体２の天井部を構成している。
【００２０】
図３は、とい継手１の分解斜視図である。上板２１は、図３に示されるように、平面視形状が略矩形の枠板状に形成されている。上板２１の内周部には、下方に突出した嵌込部２２が周方向に複数形成されている。これら複数の嵌込部２２は、図２Ａに示されるように筒状体２０の上端部の内側に嵌め込まれている。
【００２１】
上板２１の外周部は、筒状体２０の上縁上に載置されている。上板２１は、筒状体２０の上端部に接着剤によって接着されている。なお、上板２１は、筒状体２０に対して、接着剤を用いずに、掛止や嵌め込みによって固定されてもよい。また、上板２１は、筒状体２０と一体に形成されてもよい。
【００２２】
上板２１の中央部には、上下方向に貫通した上接続口２３が形成されている。本実施形態の上接続口２３は、図３に示されるように矩形の四隅の角部がカットされたような形状の孔である。
【００２３】
図２Ａに示されるように、上板２１の上接続口２３には、上方から上流側とい部材９２の下端部が挿入されて嵌め込まれる。これにより継手本体２は、上流側とい部材９２に接続される。すなわち、本実施形態では、上板２１によって上流側とい部材９２の下端部を接続可能な上接続部が構成されている。なお、上接続部は、上板２１に限らず、筒状の部材等であってもよい。
【００２４】
本実施形態の上接続口２３は、上流側とい部材９２が角形縦といおよび丸形縦といのいずれの場合にも、上流側とい部材９２を挿入して嵌め込めるように構成されている。なお、上接続口２３は、上流側とい部材９２として角形縦といおよび丸形縦といのうちの一方のみを挿入できるようにしたものであってもよい。
【００２５】
筒状体２０は、上下に開口した筒状の第１筒部２４と、平面視環状で外周端部が前記第１筒部２４の下端部に繋がった繋ぎ部２５と、上下に開口した筒状で上端部が繋ぎ部２５の内周端部に繋がった第２筒部２６とを備えている。
【００２６】
第１筒部２４は、筒状体２０の主体を成し、略矩形の直筒状に形成されている。なお、本実施形態の第１筒部２４は、平面視形状が矩形の四隅の角部がカットされたような形状であるが、完全な矩形状であってもよい。また、第１筒部２４は、円筒状であってもよい。
【００２７】
第１筒部２４の下部の周方向の一部には、筒状体２０の内外を連通させる開口部２７が形成されている。本実施形態の開口部２７は、第１筒部２４の前側の壁部に形成されており、この壁部の厚み方向に貫通した正面視矩形状の孔で構成されている。
【００２８】
繋ぎ部２５は、枠板状に形成されている。繋ぎ部２５は、第１筒部２４の下端部から内方に向かって突出しており、水平である。繋ぎ部２５の水平な上面２８は、移動体３を載置可能な載置面を構成している。なお、載置面は、繋ぎ部２５の上面２８に限らず、例えば継手本体２の内周面に突出したフランジ部等であってもよい。
【００２９】
第２筒部２６は、第１筒部２４よりも細い筒状に形成されている。第２筒部２６の上端部は、繋ぎ部２５を介して第１筒部２４の下端部に連続している。
【００３０】
第２筒部２６は、筒状体２０の下端部を構成している。本実施形態ではこの第２筒部２６によって下流側とい部材９３に接続可能な下接続部が構成されている。なお、下接続部は第２筒部２６に限らず、例えば下流側とい部材９３を嵌め込むための孔が設けられた板状の部材等で構成されてもよい。
【００３１】
第２筒部２６は、下流側とい部材９３の上端部に挿入して嵌め込むことができ、これにより継手本体２は下流側とい部材９３に接続される。なお、このように継手本体２が下流側とい部材９３に接続されたとき、継手本体２の繋ぎ部２５は下流側とい部材９３の上端面に載置され、これにより継手本体２の下方への移動が規制される。
【００３２】
本実施形態の第２筒部２６は、図３に示されるように略円筒状に形成されており、第２筒部２６は、下流側とい部材９３が角形縦といおよび丸形縦といのいずれの場合にも、下流側とい部材９３の上端部に挿入して嵌め込むことができるように構成されている。なお、第２筒部２６（下接続部２１）は、下流側とい部材９３として角形縦といおよび丸形縦といのうちの一方のみを嵌められるものであってもよい。
【００３３】
継手本体２には、移動体３が上下動可能に収納されている。本実施形態の移動体３は、図２Ａに示されるように上下に開口した筒状に形成されている。
【００３４】
上接続口２３に接続された上流側とい部材９２の雨水は、筒状の移動体３の内側を通過し、この後、第２筒部２６の内側領域を通って第２筒部２６に接続された下流側とい部材９３に流出する。
【００３５】
移動体３は、上下に開口した筒状のスライド筒部３０と、上下に開口した筒状で上端部がスライド筒部３０の下端部に接続された細筒部３１とを備えている。
【００３６】
スライド筒部３０は、外周面が第１筒部２４の内周面に合致する筒状に形成されている。スライド筒部３０の上端開口は、移動体３の上端開口である。
【００３７】
スライド筒部３０の外周面は、第１筒部２４の内周面に沿って上下方向にスライド可能である。これにより移動体３は、継手本体２に対して上下動可能とされている。
【００３８】
細筒部３１は、スライド筒部３０よりも細い筒状である。細筒部３１は、上側から順に形成された、上筒部３２、中間筒部３３、および下筒部３４を備えている。上筒部３２は、下方程細くなるようにテーパーが付いた略矩形筒状に形成されている。上筒部３２の上端部は、スライド筒部３０の下端部に繋がっている。
【００３９】
中間筒部３３は、平面視形状が略矩形状の直筒状に形成されている。中間筒部３３の上端部は、上筒部３２の下端部に繋がっている。
【００４０】
下筒部３４は、下方程細くなるようにテーパーが付いた略筒状に形成されている。下筒部３４の下端開口は、移動体３の下端開口である。
【００４１】
移動体３は、細筒部３１の周方向に亘り細筒部３１から外方に突出した鍔部３５をさらに備えている。本実施形態の鍔部３５は、中間筒部３３の下端部に形成されており、平面視形状が略矩形の枠板状に形成されている。
【００４２】
鍔部３５は繋ぎ部２５の上面２８（載置面）に載置される部分である。
【００４３】
移動体３は、図２Ａに示される載置位置と、図２Ｂに示される上昇位置との間で上下方向に移動可能である。
【００４４】
移動体３が図２Ａに示される載置位置に位置するとき、移動体３の鍔部３５の外周部は周方向に亘って継手本体２の繋ぎ部２５の内周部に載置される。このため、移動体３は、繋ぎ部２５により下方への移動が規制される。すなわち、継手本体２の繋ぎ部２５は、移動体３の下方への移動を規制する下ストッパーとして機能する。
【００４５】
移動体３が図２Ｂに示される上昇位置に位置するとき、移動体３のスライド筒部３０の上端面が継手本体２の複数の嵌込部２２の下面に接触する。このため、移動体３は、複数の嵌込部２２により上方への移動が規制される。すなわち、継手本体２の上端部に設けられた複数の嵌込部２２は、移動体３の上方への移動を規制する上ストッパーとして機能する。
【００４６】
継手本体２に形成された開口部２７は、載置位置に位置する移動体３の細筒部３１に対向している。すなわち、開口部２７は、第１筒部２４において載置位置に位置する移動体３の細筒部３１に対向する位置に形成されている。
【００４７】
継手本体２の内側領域は、上接続口２３に接続された上流側とい部材９２から第２筒部２６に接続された下流側とい部材９３に向かう雨水が通過する通水領域１０を含む。本実施形態では、移動体３が載置位置に位置するとき、移動体３の下筒部３４は、継手本体２の第２筒部２６の内側領域に向かって突出し、当該内側領域の上端部に位置する。そして、第２筒部２６の内側領域において、載置位置に位置する移動体３の下筒部３４よりも下方の領域が通水領域１０となっている。
【００４８】
図２Ａに示されるように、移動体３が載置位置に位置するとき、移動体３の細筒部３１と継手本体２の第１筒部２４との間に形成された空所１１と、通水領域１０との間には鍔部３５が位置する。このため、鍔部３５により空所１１と通水領域１０は遮断されて非連通状態となる。すなわち、この場合、通水領域１０と継手本体２の開口部２７は、移動体３によって非連通状態となる。
【００４９】
例えば図２Ｂに示されるように、移動体３が載置位置よりも上方に位置するとき、継手本体２の繋ぎ部２５とこの上方に位置する鍔部３５の間には、隙間１２が形成される。このため、通水領域１０は、隙間を介して開口部２７に連通する。すなわち、この場合、通水領域１０と継手本体２の開口部２７は、連通状態となる。
【００５０】
移動体３は、図２Ａに示されるように載置位置に位置するときに通水領域１０に臨む受圧面３６を備えている。本実施形態では、載置位置に位置する移動体３の鍔部３５は、外周部のみが繋ぎ部２５の上面２８に載置される。そして、この鍔部３５の内周部の下面と下筒部３４の外周面のそれぞれが、受圧面３６となっている。なお、下筒部３４は省略可能である。また、下筒部３４の外周面が受圧面３６となる場合には、鍔部３５は全体が繋ぎ部２５に載置されて受圧面３６として機能しなくてもよい。
【００５１】
通常、移動体３は、自重により下方に移動するため、載置位置に位置する。この場合、上流側とい部材９２から移動体３に流入した雨水は、下筒部３４の下端開口から通水領域１０に流出し、この後、第２筒部２６の下端開口から下流側とい部材９３に流出する。
【００５２】
ここで、例えば集中豪雨により排水経路に多量の雨水が流れ込んだり、移動体３より下流側の排水経路においてごみ詰まりが生じたりした場合、移動体３の通水領域１０は雨水で満たされた状態となる。このように通水領域１０が雨水で満たされた状態になると、移動体３の受圧面３６は、第２筒部２６内に流れ込んだ雨水の水圧を受けて、図２Ａ中矢印Ｄ３で示されるように上方に押圧される。このため、移動体３は、例えば図２Ｂに示されるように載置位置より上方に移動する。このように移動体３が載置位置よりも上方に移動すると、前述したように通水領域１０と継手本体２の開口部２７は、連通状態となる。従って、通水領域１０の雨水は、図２Ｂ中矢印Ｄ４に示されるように開口部２７から継手本体２の外部に排出される。
【００５３】
なお、前述のように移動体３が載置位置より上昇するときの上方への移動量は、受圧面３６が受ける水圧によって変化する。このため、移動体３は必ずしも図２Ｂに示される上昇位置まで移動するものではない。また、移動体３が載置位置よりも上方に移動した状態にあるときに、上流側とい部材９２から通水領域１０に流れ込む雨水の量が減少する等して通水領域１０内の雨水が減少すると、移動体３は自重により下がって載置位置に位置する。
【００５４】
継手本体２には、開口部２７の外側を覆うカバー４が取り付けられている。カバー４は、図３に示されるように、上下に開口した略筒状に形成されている。カバー４は、継手本体２に接着剤で接着されており、図２Ａに示されるように継手本体２の周囲を囲んでいる。なお、カバー４は、接着剤を用いずに、嵌め込みや掛止により継手本体２に固定されてもよい。また、カバー４は、継手本体２と一体に形成されてもよい。
【００５５】
図３に示されるように、カバー４は、後方および下方に開口した箱状のカバー部４０と、カバー部４０の両側縁部のそれぞれから後方に向かって延びた側板部４１，４２と、両側板部４１，４２の後端部同士を繋いだ後板部４３を備えている。
【００５６】
カバー４の両側板部４１，４２は、継手本体２の対応する外側面に沿っている。カバー４の後板部４３は、継手本体２の後面に沿っている。
【００５７】
カバー部４０は、水平断面形状が後方に向かって開口したコ字状（略Ｃ字状）のカバー部周板４４と、カバー部周板４４で囲まれた空間の上方を覆うカバー部蓋板４５とで構成されている。
【００５８】
カバー部４０は、図２Ａに示されるように、継手本体２の前側に位置しており、開口部２７を外側から覆っている。このため、落葉などのごみや雨水は、開口部２７を介して継手本体２に入り込みにくくなっている。
【００５９】
継手本体２とカバー４の間には、通水領域１０から開口部２７を通してあふれ出た雨水（オーバーフロー水）を排出するための排水空間１３が形成されている。
【００６０】
本実施形態の排水空間１３は、継手本体２の前側に形成され、継手本体２の前側の壁部と、カバー４のカバー部４０とで囲まれている。具体的に排水空間１３は、周囲がカバー部周板４４と継手本体２の前側の壁部によって閉塞され、上方がカバー部蓋板４５で閉塞されている。また、排水空間１３は、カバー部４０の下端と第２筒部２６に接続された下流側とい部材９３の上端部との間から下方に開口しており、開口部２７からあふれ出た雨水は、排水空間１３の下端部から下方に排出されるようになっている。
【００６１】
移動体３は、継手本体２の細筒部３１から外方に突出して、開口部２７から排水空間１３に突出した仕切部３７をさらに備えている。本実施形態の仕切部３７は、平面視矩形状で水平な板状に形成されており、中間筒部３３の鍔部３５よりも上方に位置する部分から開口部２７を貫通して排水空間１３内に突出している。仕切部３７の排水空間１３に突出した部分は、平面視で排水空間１３の略全体に亘っている。
【００６２】
仕切部３７は、移動体３の上下動に伴って、開口部２７を上下動する。移動体３が図２Ａに示されるように載置位置に位置するときに、仕切部３７は開口部２７の下端部に位置する。この仕切部３７は、排水空間１３を上下に仕切り、排水空間１３における仕切部３７よりも上方の領域の下方を遮蔽する。このため、排水空間１３に下方から入り込んだ虫や小鳥等が継手本体２の開口部２７や、仕切部３７よりも上方の排水空間１３に侵入することが抑制される。
【００６３】
なお、仕切部３７は移動体３の細筒部３１と一体に形成されてもよいし、細筒部３１とは別の部材であってもよい。また、仕切部３７は図４に示されるように省略可能である。
【００６４】
また、とい継手１は、図５に示される管接続体５をさらに備えてもよい。管接続体５は、カバー４と継手本体２との間の下端部に設けられている。管接続体５は、例えば継手本体２に接続された下流側とい部材９３の上端部とカバー部４０の下端部とで構成された下開口部１４に嵌め込むことで固定される。
【００６５】
図５に示される管接続体５の下面には、下方に突出した筒状の管接続部５０が形成されている。管接続部５０には、下方から、排水空間１３の雨水を他に送るための管９５（例えばホース）を接続できる。管接続部５０の上端は、管接続体５に形成され上下方向に延びた流路５１を介して上方の排水空間１３に連通している。
【００６６】
とい継手１は、このような管接続体５を備えることで、開口部２７から排水空間１３にあふれ出た雨水を管接続部５０に接続された管９５を通じて任意の部分に排水することが可能になる。
【００６７】
本実施形態のとい継手１は、継手本体２の上接続口２３に上流側とい部材９２の下端部を嵌め込み、継手本体２の第２筒部２６を下流側とい部材９３の上端部に嵌め込むことにより、両縦とい９２，９３に接続される。
【００６８】
以上説明した本実施形態のとい継手１は、以下の特徴を有している。とい継手１は、継手本体２と移動体３を備える。継手本体２は、上下に開口した筒状に形成される。継手本体２の上端部には、上流側とい部材９２に接続可能な上接続部（上板２１）が形成される。継手本体２の下端部には、下流側とい部材９３に接続可能な下接続部（第２筒部２６）が形成される。移動体３は、継手本体２に上下動可能に収納される。筒状の継手本体２の周壁部に継手本体２の内外を連通させる開口部２７が形成される。継手本体２に、移動体３を載置可能な載置面（繋ぎ部２５の上面２８）が形成される。継手本体２の内側領域は、載置面に載置された移動体３の下方に位置し、かつ上接続部に接続された上流側とい部材９２から下接続部に接続された下流側とい部材９３に向かう雨水が通過する通水領域１０を含む。移動体３は、通水領域１０に臨む受圧面３６（鍔部３５の下面、下筒部３４の外周面）を備える。とい継手１は、移動体３が載置位置に位置するとき、移動体３によって通水領域１０と開口部２７とが非連通状態となるように構成される。とい継手１は、移動体３が載置位置よりも上方に位置するとき、通水領域１０と開口部２７とが連通状態となるように構成される。
【００６９】
この特徴を有するとい継手１は、移動体３が載置位置に位置しているとき、この移動体３によって通水領域１０と開口部２７とが非連通状態となる。このため、落ち葉などのごみが、開口部２７を通して、継手本体２における雨水が流れる領域に入り込むことが抑制される。また、例えば集中豪雨により移動体３よりも下流側に多量の雨水が流れ込んで、通水領域１０が雨水で満たされた場合には、この雨水により受圧面３６が上方に押圧されて移動体３が上昇し、通水領域１０と開口部２７が連通状態となる。このため、通水領域１０に流れ込んだ雨水は、開口部２７から継手本体２の外部に排出されるようになり、とい継手１の上流側には雨水が逆流しにくくなる。
【００７０】
また、本実施形態のとい継手１は、以下の付加的な特徴を有している。移動体３は、上下に開口した筒状のスライド筒部３０を備える。とい継手１は、上接続部に接続された上流側とい部材９２の雨水が、スライド筒部３０の内側、および通水領域１０を順に通過して、下接続部に接続された下流側とい部材９３に流出するように構成される。移動体３は、スライド筒部３０の外周面が筒状の継手本体２の内周面に沿って上下方向にスライドするように継手本体２に収納される。
【００７１】
この特徴を有するとい継手１は、移動体３のスライド筒部３０の移動方向が、継手本体２の内周面によって上下方向に規制される。このため、移動体３の上下動作が安定しやすい。
【００７２】
また、本実施形態のとい継手１は、以下の付加的な特徴を有している。継手本体２は、第１筒部２４、繋ぎ部２５、および第２筒部２６を備える。第１筒部２４は、上下に開口した筒状で、内周面がスライド筒部３０の外周面に沿う。繋ぎ部２５は、平面視環状で外周端部が第１筒部２４の下端部に繋がる。第２筒部２６は、上下に開口し第１筒部２４よりも細い筒状で上端部が繋ぎ部２５の内周端部に繋がる。載置面は繋ぎ部２５の上面２８である。第２筒部２６の内側領域は、通水領域１０を含む。移動体３は、細筒部３１と、載置面に載置される部分としての鍔部３５をさらに備える。細筒部３１は、上下に開口した筒状で、上端部がスライド筒部３０の下端部に接続され、かつスライド筒部３０よりも細い。鍔部３５は、細筒部３１の周方向に亘り細筒部３１から外方に突出する。開口部２７は、移動体３が載置位置に位置するときに、第１筒部２４において細筒部３１に対向する部分に形成される。移動体３が載置位置よりも上方に位置するときに、繋ぎ部２５の上面２８と鍔部３５の間に隙間１２が形成され、この隙間１２を介して通水領域１０と開口部２７とが連通状態となるように構成される。
【００７３】
この特徴を有するとい継手１は、移動体３の鍔部３５が、継手本体２の繋ぎ部２５の上面２８に載置されて、移動体３が載置位置に位置する。また、移動体３が載置位置よりも上方に位置するときには、通水領域１０と開口部２７とが、繋ぎ部２５の上面２８と鍔部３５の間に形成された隙間１２を介して連通する。
【００７４】
また、本実施形態のとい継手１は、以下の付加的な特徴を有している。とい継手１は、継手本体２の開口部２７の外側を覆うカバー４をさらに備える。カバー４と継手本体２との間に、排水空間１３が形成される。排水空間１３は、カバー４と継手本体２によって周囲および上方が閉塞され、かつ通水領域１０から開口部２７を通してあふれ出た雨水を排水空間１３の下端部から排出する。移動体３は、継手本体２の内側から開口部２７を通して排水空間１３に突出した仕切部３７を備える。とい継手１は、移動体３が載置位置に位置するときに、仕切部３７が開口部２７の下端部に位置して、この仕切部３７により排水空間１３が上下に仕切られるように構成される。
【００７５】
この特徴を有するとい継手１は、継手本体２の開口部２７の外側がカバー４で覆われるため、落ち葉などのごみが開口部２７を介して継手本体２に入ることが抑制される。また、移動体３が載置位置に位置するときには、仕切部３７が開口部２７の下端部に位置して、排水空間１３における仕切部３７よりも上方の領域の下方が仕切部３７により遮蔽される。このため、排水空間１３の下端部から虫や小鳥等が排水空間１３に入り込んだとしても、これら虫等が開口部２７や排水空間１３の仕切部３７よりも上方の領域に入り込むことが抑制される。
【００７６】
また、本実施形態のとい継手１は、以下の付加的な特徴を有している。とい継手１は、カバー４と継手本体２との間の下端部に設けられた管接続体５をさらに備える。管接続体５は、排水空間１３に通じ、排水空間１３の雨水を排水するための管９５を接続可能な管接続部を備える。
【００７７】
この特徴を有するとい継手１は、管接続部に管９５を接続することで、開口部２７から排水空間１３にあふれ出た雨水を管９５を通じて任意の場所に排出することができる。
【００７８】
また、本実施形態の排水構造は、以下の特徴を有している。排水構造は、上流側とい部材９２と、下流側とい部材９３と、前述のとい継手１とを備える。とい継手１が有する継手本体２の上接続部に、上流側とい部材９２が接続され、継手本体２の下接続部に、下流側とい部材９３が接続される。
【００７９】
この特徴を有する排水構造は、例えば集中豪雨により多量の雨水が流れ込んだ場合には、前述のとい継手１により雨水が外部に排出される。このため、とい継手１よりも上流側に雨水が逆流することが抑制される。
【００８０】
なお、本実施形態のとい継手１および排水構造は、本発明の趣旨を逸脱しない範囲で適宜設計変更可能である。
【符号の説明】
【００８１】
１  とい継手
１０  通水領域
１２  隙間
１３  排水空間
２  継手本体
２１  上板（上接続部）
２４  第１筒部
２５  繋ぎ部
２６  第２筒部（下接続部）
２７  開口部
２８  繋ぎ部の上面（載置面）
３  移動体
３０  スライド筒部
３１  細筒部
３５  鍔部
３６  受圧面
３７  仕切部
４  カバー
５  管接続体
５０  管接続部
９２  上流側とい部材
９３  下流側とい部材
９５  管
【図１】
2017008675.tif 000003
【図２】
2017008675.tif 000004
【図３】
2017008675.tif 000005
【図４】
2017008675.tif 000006
【図５】
2017008675.tif 000007